(57)【要約】【課題】従来よりも高速に回転する超高速圧縮機が搭載され、運転切替時に吐出温度の急上昇を抑止可能なマルチ型空気調和機の制御装置、マルチ型空気調和機、マルチ型空気調和機の制御方法及びマルチ型空気調和機の制御プログラムを提供することを目的とする。【解決手段】圧縮機１０を備えた室外機２と、電動膨張弁３１を備えた複数の室内機３と、冷媒ガス管および冷媒液管によって構成された冷凍サイクルが、冷媒液管と圧縮機１０への吸入配管との間に、バイパス弁７１及び減圧手段７２を介して液冷媒の一部をバイパスする液バイパス配管７０を備えたマルチ型空気調和機１の制御装置５０であって、液バイパス配管７０は並列に２本設けられ、所定期間内で室内機３の運転の切替えが行われ、運転切替後に対する運転切替前の圧縮機回転数指令値の割合が所定倍数を超えるか否かを判定し、割合が所定倍数を超えると判定された場合に２つのバイパス弁７１を開とする。【選択図】図１
2018204898.tif 000002
【特許請求の範囲】
【請求項１】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御装置であって、
前記液バイパス配管は、並列に２本設けられ、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する判定手段を有し、
前記割合が前記所定倍数を超えると判定された場合に、２つの前記バイパス弁を開とし、
前記割合が前記所定倍数以下であると判定された場合または前記圧縮機の実回転数が前記運転切替後の前記圧縮機回転数指令値に到達した場合に、一方の前記バイパス弁のみを開とする、または２つの前記バイパス弁を閉とする制御を行うマルチ型空気調和機の制御装置。
【請求項２】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御装置であって、
前記液バイパス配管は、並列に２本設けられ、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する判定手段を有し、
前記割合が前記所定倍数を超えると判定された場合に、２つの前記バイパス弁を開とし、
前記割合が前記所定倍数以下であると判定された場合に、一方の前記バイパス弁のみを開とする、または２つの前記バイパス弁を閉とする制御を行うマルチ型空気調和機の制御装置。
【請求項３】
一方の前記減圧手段の径は、他方の前記減圧手段の径と異なる大きさであり、前記冷媒の吐出温度に応じて２つの前記バイパス弁の開閉を制御する請求項１または請求項２に記載のマルチ型空気調和機の制御装置。
【請求項４】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御装置であって、
前記減圧手段は、前記液バイパス配管を２本設けた場合の冷媒流量と同じ流量となるような径とされ、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する判定手段を有し、
前記割合が前記所定倍数を超えると判定された場合に、前記バイパス弁を開とし、
前記割合が前記所定倍数以下であると判定された場合または前記圧縮機の実回転数が前記運転切替後の前記圧縮機回転数指令値に到達した場合に、前記バイパス弁を閉とする制御を行うマルチ型空気調和機の制御装置。
【請求項５】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御装置であって、
前記減圧手段は、前記液バイパス配管を２本設けた場合の冷媒流量と同じ流量となるような径とされ、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する判定手段を有し、
前記割合が前記所定倍数を超えると判定された場合に、前記バイパス弁を開とし、
前記割合が前記所定倍数以下であると判定された場合に、前記バイパス弁を閉とする制御を行うマルチ型空気調和機の制御装置。
【請求項６】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御装置であって、
前記バイパス弁は開度調整可能な弁であり、前記冷媒の前記吐出温度に応じて開度が制御され、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する判定手段を有し、
前記割合が前記所定倍数を超えると判定された場合に、前記バイパス弁の開度を全開とし、
前記割合が前記所定倍数以下であると判定された場合または前記圧縮機の実回転数が前記運転切替後の前記圧縮機回転数指令値に到達した場合に、前記冷媒の前記吐出温度に応じて前記バイパス弁の開度を閉方向に制御を行うマルチ型空気調和機の制御装置。
【請求項７】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御装置であって、
前記バイパス弁は開度調整可能な弁であり、前記冷媒の前記吐出温度に応じて開度が制御され、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する判定手段を有し、
前記割合が前記所定倍数を超えると判定された場合に、前記バイパス弁の開度を全開とし、
前記割合が前記所定倍数以下であると判定された場合に、前記冷媒の前記吐出温度に応じて前記バイパス弁の開度を閉方向に制御を行うマルチ型空気調和機の制御装置。
【請求項８】
前記バイパス弁は開度調整可能な弁であり、前記冷媒の前記吐出温度に応じて開度が制御され、
前記割合が前記所定倍数を超えると判定された場合に、前記バイパス弁の開度を全開とし、
前記割合が前記所定倍数以下であると判定された場合に、前記冷媒の前記吐出温度に応じて前記バイパス弁の開度を閉方向に制御する請求項４または請求項５に記載のマルチ型空気調和機の制御装置。
【請求項９】
請求項１から請求項８のいずれかに記載の制御装置と、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機。
【請求項１０】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御方法であって、
前記液バイパス配管は、並列に２本設けられ、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定するステップと、
前記割合が前記所定倍数を超えると判定された場合に、２つの前記バイパス弁を開とするステップと、
前記割合が前記所定倍数以下であると判定された場合または前記圧縮機の実回転数が前記運転切替後の前記圧縮機回転数指令値に到達した場合に、一方の前記バイパス弁のみを開とする、または２つの前記バイパス弁を閉とするステップとを備えるマルチ型空気調和機の制御方法。
【請求項１１】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御方法であって、
前記液バイパス配管は、並列に２本設けられ、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定するステップと、
前記割合が前記所定倍数を超えると判定された場合に、２つの前記バイパス弁を開とするステップと、
前記割合が前記所定倍数以下であると判定された場合に、一方の前記バイパス弁のみを開とする、または２つの前記バイパス弁を閉とするステップとを備えるマルチ型空気調和機の制御方法。
【請求項１２】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御方法であって、
前記減圧手段は、前記液バイパス配管を２本設けた場合の冷媒流量と同じ流量となるような径とされ、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定するステップと、
前記割合が前記所定倍数を超えると判定された場合に、前記バイパス弁を開とするステップと、
前記割合が前記所定倍数以下であると判定された場合または前記圧縮機の実回転数が前記運転切替後の前記圧縮機回転数指令値に到達した場合に、前記バイパス弁を閉とするステップとを備えたマルチ型空気調和機の制御方法。
【請求項１３】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御方法であって、
前記減圧手段は、前記液バイパス配管を２本設けた場合の冷媒流量と同じ流量となるような径とされ、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定するステップと、
前記割合が前記所定倍数を超えると判定された場合に、前記バイパス弁を開とするステップと、
前記割合が前記所定倍数以下であると判定された場合に、前記バイパス弁を閉とするステップとを備えたマルチ型空気調和機の制御方法。
【請求項１４】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御方法であって、
前記バイパス弁は開度調整可能な弁であり、前記冷媒の前記吐出温度に応じて開度が制御され、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定するステップと、
前記割合が前記所定倍数を超えると判定された場合に、前記バイパス弁の開度を全開とするステップと、
前記割合が前記所定倍数以下であると判定された場合または前記圧縮機の実回転数が前記運転切替後の前記圧縮機回転数指令値に到達した場合に、前記冷媒の前記吐出温度に応じて前記バイパス弁の開度を閉方向に制御を行うステップとを備えたマルチ型空気調和機の制御方法。
【請求項１５】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御方法であって、
前記バイパス弁は開度調整可能な弁であり、前記冷媒の前記吐出温度に応じて開度が制御され、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定するステップと、
前記割合が前記所定倍数を超えると判定された場合に、前記バイパス弁の開度を全開とするステップと、
前記割合が前記所定倍数以下であると判定された場合に、前記冷媒の前記吐出温度に応じて前記バイパス弁の開度を閉方向に制御を行うステップとを備えたマルチ型空気調和機の制御方法。
【請求項１６】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御プログラムであって、
前記液バイパス配管は、並列に２本設けられ、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する工程と、
前記割合が前記所定倍数を超えると判定された場合に、２つの前記バイパス弁を開とする工程と、
前記割合が前記所定倍数以下であると判定された場合または前記圧縮機の実回転数が前記運転切替後の前記圧縮機回転数指令値に到達した場合に、一方の前記バイパス弁のみを開とする、または２つの前記バイパス弁を閉とする工程とを備えるマルチ型空気調和機の制御プログラム。
【請求項１７】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御プログラムであって、
前記液バイパス配管は、並列に２本設けられ、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する工程と、
前記割合が前記所定倍数を超えると判定された場合に、２つの前記バイパス弁を開とする工程と、
前記割合が前記所定倍数以下であると判定された場合に、一方の前記バイパス弁のみを開とする、または２つの前記バイパス弁を閉とする工程とを備えるマルチ型空気調和機の制御プログラム。
【請求項１８】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御プログラムであって、
前記減圧手段は、前記液バイパス配管を２本設けた場合の冷媒流量と同じ流量となるような径とされ、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する工程と、
前記割合が前記所定倍数を超えると判定された場合に、前記バイパス弁を開とする工程と、
前記割合が前記所定倍数以下であると判定された場合または前記圧縮機の実回転数が前記運転切替後の前記圧縮機回転数指令値に到達した場合に、前記バイパス弁を閉とする工程とを備えたマルチ型空気調和機の制御プログラム。
【請求項１９】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御プログラムであって、
前記減圧手段は、前記液バイパス配管を２本設けた場合の冷媒流量と同じ流量となるような径とされ、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する工程と、
前記割合が前記所定倍数を超えると判定された場合に、前記バイパス弁を開とする工程と、
前記割合が前記所定倍数以下であると判定された場合に、前記バイパス弁を閉とする工程とを備えたマルチ型空気調和機の制御プログラム。
【請求項２０】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御プログラムであって、
前記バイパス弁は開度調整可能な弁であり、前記冷媒の前記吐出温度に応じて開度が制御され、
所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する工程と、
前記割合が前記所定倍数を超えると判定された場合に、前記バイパス弁の開度を全開とする工程と、
前記割合が前記所定倍数以下であると判定された場合または前記圧縮機の実回転数が前記運転切替後の前記圧縮機回転数指令値に到達した場合に、前記冷媒の前記吐出温度に応じて前記バイパス弁の開度を閉方向に制御を行う工程とを備えたマルチ型空気調和機の制御プログラム。
【請求項２１】
圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、
前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御プログラムであって、
前記バイパス弁は開度調整可能な弁であり、前記冷媒の前記吐出温度に応じて開度が制御され、
所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する工程と、
前記割合が前記所定倍数を超えると判定された場合に、前記バイパス弁の開度を全開とする工程と、
前記割合が前記所定倍数以下であると判定された場合に、前記冷媒の前記吐出温度に応じて前記バイパス弁の開度を閉方向に制御を行う工程とを備えたマルチ型空気調和機の制御プログラム。
【発明の詳細な説明】
【技術分野】
【０００１】
本発明は、マルチ型空気調和機の制御装置、マルチ型空気調和機、マルチ型空気調和機の制御方法及びマルチ型空気調和機の制御プログラムに関するものである。
【背景技術】
【０００２】
少なくとも１台の室外機に、複数の室内機が接続されたマルチ型空気調和機において、例えば室内機全台運転から最小容量の室内機１台運転に運転が切り替わる場合、室外機の圧縮機の回転数は最大または最大に近い回転数から最小または最小に近い回転数に切り替わることとなる。また、室内機の運転容量も同様に切り替わることとなる。ここで、室内機の運転台数が減少すると、圧縮機の回転数が低下するとともに、運転が継続される室内機以外の停止される室内機においては、対応する電動膨張弁は全閉もしくは絞り開度となる。しかし、圧縮機の回転数の低下速度（下降レート）が停止される室内機の電動膨張弁の絞りに追従できない場合がある。
これに対し、特許文献１には、リキッドインジェクションバイパス路を有するマルチ型の空気調和装置において、停止される室内機の電動膨張弁を全閉とする信号が出力されると、信号出力前の開度より小さい小開度に所定時間設定した後に全閉とすることが開示されている。
【先行技術文献】
【特許文献】
【０００３】
【特許文献１】特開平３−１９５８５５号公報
【発明の概要】
【発明が解決しようとする課題】
【０００４】
しかしながら、上記特許文献１に開示された発明では、従来のマルチ型空気調和機における圧縮機が用いられた場合の検討がなされているに過ぎない。従来のマルチ型空気調和機における圧縮機の最大回転数は１２０から１４０ｒｐｓ程度であった。しかし、コスト低減の観点より最大回転数が２００ｒｐｓである超高速圧縮機の搭載が検討されている。圧縮機の最大回転数が２００ｒｐｓとなると、従来の圧縮機における上昇レート及び下降レートを用いた制御を行うと、最大回転数と最小回転数との偏差が大きくなる。これにより、例えば圧縮機の回転数の下降レートが、停止される室内機の電動膨張弁の絞りにさらに追従できなくなり、この場合圧縮機の吐出温度が急上昇して圧縮機が保護停止し、マルチ型空気調和機の連続運転ができない場合があるという課題が発生する。
【０００５】
本発明は、このような事情に鑑みてなされたものであって、従来よりも高速（例えば２００ｒｐｓ等）に回転する超高速圧縮機が搭載され、運転切替時に圧縮機の回転数の大きな変動がある場合でも圧縮機の吐出温度の急上昇を抑止可能なマルチ型空気調和機の制御装置、マルチ型空気調和機、マルチ型空気調和機の制御方法及びマルチ型空気調和機の制御プログラムを提供することを目的とする。
【課題を解決するための手段】
【０００６】
上記課題を解決するために、本発明のマルチ型空気調和機の制御装置、マルチ型空気調和機、マルチ型空気調和機の制御方法及びマルチ型空気調和機の制御プログラムは以下の手段を採用する。
本発明の第一態様に係るマルチ型空気調和機の制御装置は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御装置であって、前記液バイパス配管は、並列に２本設けられ、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する判定手段を有し、前記割合が前記所定倍数を超えると判定された場合に、２つの前記バイパス弁を開とし、前記割合が前記所定倍数以下であると判定された場合または前記圧縮機の実回転数が前記運転切替後の前記圧縮機回転数指令値に到達した場合に、一方の前記バイパス弁のみを開とする、または２つの前記バイパス弁を閉とする制御を行う。
【０００７】
本発明の第二態様に係るマルチ型空気調和機の制御装置は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御装置であって、前記液バイパス配管は、並列に２本設けられ、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する判定手段を有し、前記割合が前記所定倍数を超えると判定された場合に、２つの前記バイパス弁を開とし、前記割合が前記所定倍数以下であると判定された場合に、一方の前記バイパス弁のみを開とする、または２つの前記バイパス弁を閉とする制御を行う。
【０００８】
従来のマルチ型空気調和機において、例えば室内機全台運転から最小容量の室内機１台運転に運転が切り替わる場合、室外機の圧縮機の回転数が最大回転数から最小回転数に切り替わっても特に問題が発生することはなかった。
しかし、圧縮機に従来よりも高速（例えば、２００ｒｐｓ）に回転する超高速圧縮機が採用されると、圧縮機の回転数の上限値、すなわち最大回転数が上がり、従来の上昇レートおよび下降レートを用いた制御を行うと、圧縮機の吐出温度が急上昇して保護停止する虞がある。これは、例えば冷房運転において圧縮機の回転数が最大回転数から最小回転数に切り替わる場合において、圧縮機の回転数の下降レートが停止する室内機の電動膨張弁の開度制御に追従できず、冷媒循環量が多くなり、蒸発器（室内熱交換器）の性能に対して冷媒循環量が過多となることで，低圧側冷媒圧力が下がり、これに伴い吐出エンタルピが増加するため結果として圧縮機の吐出温度が急上昇するものである。
そこで、本態様においては、超高速圧縮機を用い、２本の液バイパス配管を備えたマルチ型空気調和機において、所定期間内で室内機の運転の切り替えが行われ、運転切替後の圧縮機の回転数の指令値である圧縮機回転数指令値に対する運転切替前の圧縮機回転数指令値の割合が所定倍数を超える場合、例えば圧縮機回転数指令値が運転切替前に比べて十分小さい値となった場合において、液バイパス配管上の２つのバイパス弁を開とし、所定倍数以下の場合または圧縮機の実回転数が運転切替後の圧縮機回転数指令値に到達すると一方のバイパス弁を開とし他方のバイパス弁を閉とする、または２つのバイパス弁を共に閉とする制御を行う。
これにより、圧縮機の回転数下降中は２本の液バイパス配管により高圧の液冷媒がバイパスされることで圧縮機が吸入する冷媒の圧力が上がり温度が低下する。よって低圧側（冷房運転時の場合、室内機側）冷媒圧力の低下速度を遅らせ、これに伴い吐出エンタルピの増加を抑え吐出温度の急激な上昇を抑制することから、圧縮機吐出温度の急上昇による圧縮機の保護停止を回避するため、マルチ型空気調和機の連続運転を行うことができる。
また、所定倍数以下の場合または圧縮機の実回転数が運転切替後の圧縮機回転数指令値に到達すると一方のバイパス弁を開とする、または２つのバイパス弁を閉とする制御を行うことから、バイパス弁の制御により液バックの防止が調整可能である。
また、運転切替後の圧縮機回転数指令値に対する運転切替前の圧縮機回転数指令値の割合が所定倍数を超えるか否かを判定の条件としたが、これを運転切替後の室内機の運転容量の合計である第１運転容量合計値に対する運転切替前の室内機の運転容量の合計である第２運転容量合計値の割合が、所定倍数を超えるか否かを判定の条件に代えてもよい。
【０００９】
上記第一及び第二態様では、一方の前記減圧手段の径は、他方の前記減圧手段の径と異なる大きさであり、前記冷媒の吐出温度に応じて２つの前記バイパス弁の開閉を制御するとしてもよい。
【００１０】
本態様においては、２本の液バイパス配管の減圧手段（キャピラリチューブ）がそれぞれ異なる径であることから、２つのバイパス弁を開とする場合、一方のバイパス弁のみを開とする場合、他方のバイパス弁のみを開とする場合、及び２つのバイパス弁を閉とする場合の４つのそれぞれの場合において、バイパスされる冷媒の量を異ならせることができる。これにより、冷媒の吐出温度に応じてバイパスされる冷媒の量をきめ細かに調整することができるとともに、液バックを効果的に防止することができる。
【００１１】
本発明の第三態様に係るマルチ型空気調和機の制御装置は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御装置であって、前記減圧手段は、前記液バイパス配管を２本設けた場合の冷媒流量と同じ流量となるような径とされ、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する判定手段を有し、前記割合が前記所定倍数を超えると判定された場合に、前記バイパス弁を開とし、前記割合が前記所定倍数以下であると判定された場合または前記圧縮機の実回転数が前記運転切替後の前記圧縮機回転数指令値に到達した場合に、前記バイパス弁を閉とする制御を行う。
【００１２】
本発明の第四態様に係るマルチ型空気調和機の制御装置は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御装置であって、前記減圧手段は、前記液バイパス配管を２本設けた場合の冷媒流量と同じ流量となるような径とされ、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する判定手段を有し、前記割合が前記所定倍数を超えると判定された場合に、前記バイパス弁を開とし、前記割合が前記所定倍数以下であると判定された場合に、前記バイパス弁を閉とする制御を行う。
【００１３】
本態様においては、液バイパス配管を２本設けた場合の冷媒流量と同じ流量となるような径のキャピラリチューブを採用したことから、バイパス弁の開閉を制御することにより、圧縮機の吸入配管へより多くの高圧液冷媒をバイパスすることができ圧縮機が吸入する冷媒の圧力が上がり温度が低下する。よって低圧側（冷房運転時の場合、室内機側）冷媒圧力の低下速度を遅らせ、これに伴い吐出エンタルピの増加を抑え吐出温度の急激な上昇を抑制することから、圧縮機吐出温度の急上昇による圧縮機の保護停止を回避するため、マルチ型空気調和機の連続運転を行うことができる。
また、運転切替後の圧縮機回転数指令値に対する運転切替前の圧縮機回転数指令値の割合が所定倍数を超えるか否かを判定の条件としたが、これを運転切替後の室内機の運転容量の合計である第１運転容量合計値に対する運転切替前の室内機の運転容量の合計である第２運転容量合計値の割合が、所定倍数を超えるか否かを判定の条件に代えてもよい。
【００１４】
本発明の第五態様に係るマルチ型空気調和機の制御装置は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御装置であって、前記バイパス弁は開度調整可能な弁であり、前記冷媒の前記吐出温度に応じて開度が制御され、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する判定手段を有し、前記割合が前記所定倍数を超えると判定された場合に、前記バイパス弁の開度を全開とし、前記割合が前記所定倍数以下であると判定された場合または前記圧縮機の実回転数が前記運転切替後の前記圧縮機回転数指令値に到達した場合に、前記冷媒の前記吐出温度に応じて前記バイパス弁の開度を閉方向に制御を行う。
【００１５】
本発明の第六態様に係るマルチ型空気調和機の制御装置は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御装置であって、前記バイパス弁は開度調整可能な弁であり、前記冷媒の前記吐出温度に応じて開度が制御され、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する判定手段を有し、前記割合が前記所定倍数を超えると判定された場合に、前記バイパス弁の開度を全開とし、前記割合が前記所定倍数以下であると判定された場合に、前記冷媒の前記吐出温度に応じて前記バイパス弁の開度を閉方向に制御を行う。
【００１６】
本態様においては、液バイパス配管に設けられたバイパス弁に膨張弁などの開度調整可能な弁を採用したことから、バイパス弁の開度を制御することにより、冷媒のバイパス量を制御することができる。
マルチ型空気調和機において、所定期間内で室内機の運転の切り替えが行われ、運転切替後の前記圧縮機の回転数の指令値である圧縮機回転数指令値に対する運転切替前の前記圧縮機回転数指令値の割合が所定倍数を超える場合、例えば圧縮機回転数指令値が運転切替前に比べて十分小さい値となった場合において、バイパス弁の開度を全開とするため、圧縮機の吸入配管へより多くの高圧液冷媒をバイパスすることができ圧縮機が吸入する冷媒の圧力が上がり温度が低下する。よって低圧側（冷房運転時の場合、室内機側）冷媒圧力の低下速度を遅らせ、これに伴い吐出エンタルピの増加を抑え吐出温度の急激な上昇を抑制することから、圧縮機吐出温度の急上昇による圧縮機の保護停止を回避するため、マルチ型空気調和機の連続運転を行うことができる。
また、所定倍数以下の場合または圧縮機の実回転数が所定期間終了時の圧縮機回転数指令値に到達するとバイパス弁を閉方向に制御するため、液バックの防止が自在に調整可能である。
本態様の場合、開度調整可能な弁は、全開時の流量が液バイパス配管を２本設けた場合の冷媒流量と同じ流量となるような弁を選定するものとする。
また、運転切替後の圧縮機回転数指令値に対する運転切替前の圧縮機回転数指令値の割合が所定倍数を超えるか否かを判定の条件としたが、これを運転切替後の室内機の運転容量の合計である第１運転容量合計値に対する運転切替前の室内機の運転容量の合計である第２運転容量合計値の割合が、所定倍数を超えるか否かを判定の条件に代えてもよい。
【００１７】
上記第三及び第四態様では、前記バイパス弁は開度調整可能な弁であり、前記冷媒の前記吐出温度に応じて開度が制御され、前記割合が前記所定倍数を超えると判定された場合に、前記バイパス弁の開度を全開とし、前記割合が前記所定倍数以下であると判定された場合に、前記冷媒の前記吐出温度に応じて前記バイパス弁の開度を閉方向に制御するとしてもよい。
【００１８】
本態様においては、液バイパス配管を２本設けた場合の冷媒流量と同じ流量となるような径のキャピラリチューブを採用し、バイパス弁に膨張弁などの開度調整可能な弁を採用したため、バイパス弁の開度を制御することにより、冷媒のバイパス量を制御することができる。
マルチ型空気調和機において、所定期間内で室内機の運転の切り替えが行われ、運転切替後の前記圧縮機の回転数の指令値である圧縮機回転数指令値に対する運転切替前の前記圧縮機回転数指令値の割合が所定倍数を超える場合、例えば圧縮機回転数指令値が運転切替前に比べて十分小さい値となった場合において、バイパス弁の開度を全開とするため、圧縮機の吸入配管へより多くの高圧液冷媒をバイパスすることができ圧縮機が吸入する冷媒の圧力が上がり温度が低下する。よって低圧側（冷房運転時の場合、室内機側）冷媒圧力の低下速度を遅らせ、これに伴い吐出エンタルピの増加を抑え吐出温度の急激な上昇を抑制することから、圧縮機吐出温度の急上昇による圧縮機の保護停止を回避するため、マルチ型空気調和機の連続運転を行うことができる。
また、所定倍数以下の場合または圧縮機の実回転数が所定期間終了時の圧縮機回転数指令値に到達するとバイパス弁を閉方向に制御するため、液バックの防止が自在に調整可能である。
【００１９】
本発明の第七態様に係るマルチ型空気調和機は、前述のいずれかに記載の制御装置と、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁を介して液冷媒の一部をバイパスする液バイパス配管を備える。
【００２０】
本発明の第八態様に係るマルチ型空気調和機の制御方法は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御方法であって、前記液バイパス配管は、並列に２本設けられ、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定するステップと、前記割合が前記所定倍数を超えると判定された場合に、２つの前記バイパス弁を開とするステップと、前記割合が前記所定倍数以下であると判定された場合または前記圧縮機の実回転数が前記運転切替後の前記圧縮機回転数指令値に到達した場合に、一方の前記バイパス弁のみを開とする、または２つの前記バイパス弁を閉とするステップとを備える。
【００２１】
本発明の第九態様に係るマルチ型空気調和機の制御方法は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御方法であって、前記液バイパス配管は、並列に２本設けられ、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定するステップと、前記割合が前記所定倍数を超えると判定された場合に、２つの前記バイパス弁を開とするステップと、前記割合が前記所定倍数以下であると判定された場合に、一方の前記バイパス弁のみを開とする、または２つの前記バイパス弁を閉とするステップとを備える。
【００２２】
本発明の第十態様に係るマルチ型空気調和機の制御方法は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御方法であって、前記減圧手段は、前記液バイパス配管を２本設けた場合の冷媒流量と同じ流量となるような径とされ、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定するステップと、前記割合が前記所定倍数を超えると判定された場合に、前記バイパス弁を開とするステップと、前記割合が前記所定倍数以下であると判定された場合または前記圧縮機の実回転数が前記運転切替後の前記圧縮機回転数指令値に到達した場合に、前記バイパス弁を閉とするステップとを備える。
【００２３】
本発明の第十一態様に係るマルチ型空気調和機の制御方法は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御方法であって、前記減圧手段は、前記液バイパス配管を２本設けた場合の冷媒流量と同じ流量となるような径とされ、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定するステップと、前記割合が前記所定倍数を超えると判定された場合に、前記バイパス弁を開とするステップと、前記割合が前記所定倍数以下であると判定された場合に、前記バイパス弁を閉とするステップとを備える。
【００２４】
本発明の第十二態様に係るマルチ型空気調和機の制御方法は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御方法であって、前記バイパス弁は開度調整可能な弁であり、前記冷媒の前記吐出温度に応じて開度が制御され、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定するステップと、前記割合が前記所定倍数を超えると判定された場合に、前記バイパス弁の開度を全開とするステップと、前記割合が前記所定倍数以下であると判定された場合または前記圧縮機の実回転数が前記運転切替後の前記圧縮機回転数指令値に到達した場合に、前記冷媒の前記吐出温度に応じて前記バイパス弁の開度を閉方向に制御を行うステップとを備える。
【００２５】
本発明の第十三態様に係るマルチ型空気調和機の制御方法は、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御方法であって、前記バイパス弁は開度調整可能な弁であり、前記冷媒の前記吐出温度に応じて開度が制御され、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定するステップと、前記割合が前記所定倍数を超えると判定された場合に、前記バイパス弁の開度を全開とするステップと、前記割合が前記所定倍数以下であると判定された場合に、前記冷媒の前記吐出温度に応じて前記バイパス弁の開度を閉方向に制御を行うステップとを備える。
【００２６】
本発明の第十四態様に係るマルチ型空気調和機の制御プログラムは、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御プログラムであって、前記液バイパス配管は、並列に２本設けられ、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する工程と、前記割合が前記所定倍数を超えると判定された場合に、２つの前記バイパス弁を開とする工程と、前記割合が前記所定倍数以下であると判定された場合または前記圧縮機の実回転数が前記運転切替後の前記圧縮機回転数指令値に到達した場合に、一方の前記バイパス弁のみを開とする、または２つの前記バイパス弁を閉とする工程とを備える。
【００２７】
本発明の第十五態様に係るマルチ型空気調和機の制御プログラムは、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御プログラムであって、前記液バイパス配管は、並列に２本設けられ、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する工程と、前記割合が前記所定倍数を超えると判定された場合に、２つの前記バイパス弁を開とする工程と、前記割合が前記所定倍数以下であると判定された場合に、一方の前記バイパス弁のみを開とする、または２つの前記バイパス弁を閉とする工程とを備える。
【００２８】
本発明の第十六態様に係るマルチ型空気調和機の制御プログラムは、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御プログラムであって、前記減圧手段は、前記液バイパス配管を２本設けた場合の冷媒流量と同じ流量となるような径とされ、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する工程と、前記割合が前記所定倍数を超えると判定された場合に、前記バイパス弁を開とする工程と、前記割合が前記所定倍数以下であると判定された場合または前記圧縮機の実回転数が前記運転切替後の前記圧縮機回転数指令値に到達した場合に、前記バイパス弁を閉とする工程とを備える。
【００２９】
本発明の第十七態様に係るマルチ型空気調和機の制御プログラムは、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁及び減圧手段を介して液冷媒の一部をバイパスする液バイパス配管を備えたマルチ型空気調和機の制御プログラムであって、前記減圧手段は、前記液バイパス配管を２本設けた場合の冷媒流量と同じ流量となるような径とされ、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する工程と、前記割合が前記所定倍数を超えると判定された場合に、前記バイパス弁を開とする工程と、前記割合が前記所定倍数以下であると判定された場合に、前記バイパス弁を閉とする工程とを備える。
【００３０】
本発明の第十八態様に係るマルチ型空気調和機の制御プログラムは、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御プログラムであって、前記バイパス弁は開度調整可能な弁であり、前記冷媒の前記吐出温度に応じて開度が制御され、所定期間内で前記室内機の運転の切り替えが行われ、運転切替後の前記圧縮機の回転数の指令値である圧縮機回転数指令値に対する運転切替前の前記圧縮機回転数指令値の割合が、所定倍数を超えるか否かを判定する工程と、前記割合が前記所定倍数を超えると判定された場合に、前記バイパス弁の開度を全開とする工程と、前記割合が前記所定倍数以下であると判定された場合または前記圧縮機の実回転数が前記運転切替後の前記圧縮機回転数指令値に到達した場合に、前記冷媒の前記吐出温度に応じて前記バイパス弁の開度を閉方向に制御を行う工程とを備える。
【００３１】
本発明の第十九態様に係るマルチ型空気調和機の制御プログラムは、圧縮機を備えた少なくとも一つの室外機と、電動膨張弁を備えた複数の室内機とを冷媒ガス管および冷媒液管を介して接続するとともに、前記圧縮機、前記電動膨張弁、前記冷媒ガス管および前記冷媒液管によって冷凍サイクルを構成し、前記冷凍サイクルは、前記冷媒液管と前記圧縮機への吸入配管との間に、冷媒の吐出温度に応じて開閉されるバイパス弁を介して液冷媒の一部をバイパスする液バイパス配管を備えたマルチ型空気調和機の制御プログラムであって、前記バイパス弁は開度調整可能な弁であり、前記冷媒の前記吐出温度に応じて開度が制御され、所定期間内で前記室内機の運転の切り替えが行われ、運転切替後の前記室内機の運転容量の合計である第１運転容量合計値に対する運転切替前の前記室内機の運転容量の合計である第２運転容量合計値の割合が、所定倍数を超えるか否かを判定する工程と、前記割合が前記所定倍数を超えると判定された場合に、前記バイパス弁の開度を全開とする工程と、前記割合が前記所定倍数以下であると判定された場合に、前記冷媒の前記吐出温度に応じて前記バイパス弁の開度を閉方向に制御を行う工程とを備える。
【発明の効果】
【００３２】
本発明によれば、液バイパス配管を並列に２本設け、２つのバイパス弁を開とすることで冷媒のバイパス量を増加させるので、急激な蒸発器性能の低下に伴う低圧側冷媒の圧力低下速度を遅らせ、吐出エンタルピの増加を抑え吐出温度の急激な上昇を抑制することから、吐出温度の急上昇による圧縮機の保護停止を回避し、マルチ型空気調和機の連続運転を行うことができる。
【図面の簡単な説明】
【００３３】
【図１】本発明の第１実施形態に係るマルチ型空気調和機を示した概略構成図である。
【図２】本発明の第１実施形態に係る制御装置を示した機能ブロック図である。
【図３】本発明の第１実施形態に係る冷房運転における運転切替時の制御を示したフローチャートである。
【図４】本発明の第２実施形態に係るマルチ型空気調和機を示した概略構成図である。
【図５】本発明の第２実施形態に係る冷房運転における運転切替時の制御を示したフローチャートである。
【図６】本発明の第３実施形態に係るマルチ型空気調和機を示した概略構成図である。
【図７】本発明の第３実施形態に係る冷房運転における運転切替時の制御を示したフローチャートである。
【図８】本発明の第３実施形態の変形例に係るマルチ型空気調和機を示した概略構成図である。
【発明を実施するための形態】
【００３４】
以下に、本発明に係るマルチ型空気調和機の制御装置、マルチ型空気調和機、マルチ型空気調和機の制御方法及びマルチ型空気調和機の制御プログラムの一実施形態について、図面を参照して説明する。
【００３５】
〔第１実施形態〕
以下、本発明の第１実施形態について、図１乃至３を用いて説明する。
図１には、本実施形態に係るマルチ型空気調和機の概略構成図が示されている。
マルチ型空気調和機１は、１台の室外機２に、複数台の室内機３Ａ、３Ｂ、３Ｃ及び３Ｄが並列に接続されたものである。複数台の室内機３Ａ、３Ｂ、３Ｃ及び３Ｄは、室外機２に接続されているガス側配管４と液側配管５との間に分岐器６を介して互いに並列に接続されている。
【００３６】
室外機２は、冷媒を圧縮するインバータ駆動の圧縮機１０と、冷媒の循環方向を切換える四方切換弁１２と、冷媒と外気とを熱交換させる室外熱交換器（熱交換器）１３と、室外熱交換器１３と一体的に構成されている過冷却コイル１４と、室外膨張弁（ＥＥＶＨ）１５と、液冷媒を貯留するレシーバ１６と、液冷媒に過冷却を与える過冷却熱交換器１７と、過冷却熱交換器１７に分流される冷媒量を制御する過冷却用膨張弁（ＥＥＶＳＣ）１８と、圧縮機１０に吸入される冷媒ガスから液分を分離し、ガス分のみを圧縮機１０側に吸入させるアキュームレータ１９と、ガス側操作弁２０と、液側操作弁２１とを備えている。
室外機２側の上記各機器は、冷媒配管２２を介して順次接続され、公知の室外側冷媒回路２３を構成している。また、室外機２には、室外熱交換器１３に対して外気を送風する室外ファン２４が設けられている。
【００３７】
圧縮機１０の吐出側には、圧縮機からの冷媒の吐出温度を検出する圧縮機吐出温度センサ（図示せず）が備えられている。
本実施形態においては、一般的に用いられる圧縮機（回転速度が１２０〜１４０ｒｐｓ）よりも回転速度が高速（例えば、２００ｒｐｓ以上）となるスクロール圧縮機を使用する場合を例に挙げて説明する。
【００３８】
また、室外機２には、室外膨張弁１５とレシーバ１６との間の高圧液配管と、圧縮機１０への冷媒吸入配管との間に、高圧液冷媒を圧縮機１０の吸入側へとバイパスする液バイパス配管７０が設けられている。この液バイパス配管７０には、圧縮機１０から吐出される冷媒の吐出温度に応じて開閉されるバイパス弁７１と、高圧液冷媒を減圧するキャピラリチューブ（減圧手段）７２とが設けられている。
本実施形態では、液バイパス配管７０は、液バイパス配管７０Ａ及び液バイパス配管７０Ｂが並列に２本設けられており、液バイパス配管７０Ａにはバイパス弁７１Ａ及びキャピラリチューブ７２Ａ、及び液バイパス配管７０Ｂにはバイパス弁７１Ｂ及びキャピラリチューブ７２Ｂが設けられている。液バイパス配管７０Ａ及び７０Ｂの流量はキャピラリチューブ７２Ａ及び７２Ｂの径に基づき決定されるが、それぞれ１本の液バイパス配管が設けられる通常の場合の流量と同量であるとし、キャピラリチューブ７２Ａ及び７２Ｂの径もそれぞれ同じ大きさであるとする。
液バイパス配管７０は、一般的には１本設けられるものであるが、本実施形態では液バイパス配管７０Ａ及び７０Ｂの２本を設けることにより、バイパス弁７１Ａ及び７１Ｂを開とすることで液バイパス配管７０が１本の場合の２倍の量の冷媒がバイパスされることとなる。
以下の説明において、各液バイパス配管７０を区別する場合は、末尾にＡまたはＢを付し、各液バイパス配管７０を区別しない場合は、ＡまたはＢを省略する。また、各バイパス弁７１を区別する場合は、末尾にＡまたはＢを付し、各バイパス弁７１を区別しない場合は、ＡまたはＢを省略する。また、各キャピラリチューブ７２を区別する場合は、末尾にＡまたはＢを付し、各キャピラリチューブ７２を区別しない場合は、ＡまたはＢを省略する。
【００３９】
ガス側配管４及び液側配管５は、室外機２のガス側操作弁２０及び液側操作弁２１に接続される冷媒配管であり、現場での据え付け施工時に、室外機２とそれに接続される複数台の室内機３Ａ、３Ｂ、３Ｃ及び３Ｄとの間の距離に応じて、その配管長が適宜設定されるようになっている。ガス側配管４及び液側配管５の途中には、分岐器６が設けられ、該分岐器６を介して適宜台数の室内機３Ａ、３Ｂ、３Ｃ及び３Ｄが接続されている。これによって、密閉された１系統の冷凍サイクル（冷媒回路）７が構成されている。
【００４０】
各室内機３Ａ、３Ｂ、３Ｃ及び３Ｄは、室内空気を冷媒と熱交換させて冷却又は加熱し、室内の空調に供する室内熱交換器３０と、室内膨張弁（ＥＥＶＣ）（電動膨張弁）３１と、室内熱交換器３０を介して室内空気を循環させる室内ファン３２と、室内コントローラ（図示せず）とを備え、分岐器６に接続されている。
室内膨張弁３１は、通常運転時に対応する室内機３が停止する場合は、停止時所定開度とされる。冷房運転の場合の停止時所定開度は全閉、暖房運転の場合の停止時所定開度は全閉に近い微開とされる。
本実施形態では、各室内機３Ａ、３Ｂ、３Ｃ及び３Ｄの運転容量はそれぞれ異なり、例えば室内機３Ａの運転容量は１．５ｋｗ、室内機３Ｂ、３Ｃ及び３Ｄの容積は１４ｋｗであるとする。
【００４１】
図１では、４台の室内機３Ａ、３Ｂ、３Ｃ及び３Ｄが設置されている場合について例示しているが、設置台数については任意に決定することができる。
以下の説明において、各室内機３を区別する場合は、末尾にＡ、Ｂ、ＣまたはＤのいずれかを付し、各室内機３を区別しない場合は、Ａ、Ｂ、ＣまたはＤを省略する。また、各室内膨張弁３１を区別する場合は、末尾にＡ、Ｂ、ＣまたはＤのいずれかを付し、各室内膨張弁３１を区別しない場合は、Ａ、Ｂ、ＣまたはＤを省略する。
【００４２】
制御装置５０は、室内コントローラによる設定値や圧縮機吐出温度センサ等による冷媒温度等を取得し、圧縮機１０の回転数制御、各バイパス弁７１の開度の制御、各室内膨張弁３１の開度の制御、四方切換弁１２の切替制御、他の各弁の開閉又は開度の制御等を行う。
制御装置５０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００４３】
図２には、本実施形態に係る制御装置の機能ブロック図が示されている。
図２に示されるように、制御装置５０は、圧縮機回転数指令値設定部５１、圧縮機実回転数取得部５２、圧縮機吐出温度検出部５３、判定部（判定手段）５６、バイパス弁開度設定部５７、運転容量検出部５８を備える。
圧縮機回転数指令値設定部５１は、圧縮機１０に対し、圧縮機１０の回転数の指令値である圧縮機回転数指令値を設定する。
圧縮機実回転数取得部５２は、圧縮機１０から実回転数を取得する。
圧縮機吐出温度検出部５３は、圧縮機吐出温度センサから圧縮機１０の吐出温度を取得し、吐出温度が所定の温度（例えば１３０℃）に到達すると、圧縮機の破損などを防ぐために圧縮機１０を保護停止する。
判定部５６は、圧縮機回転数指令値設定部５１または後述する運転容量検出部５８の値に基づき、判定を行う。
バイパス弁開度設定部５７は、バイパス弁７１の開度を設定する。
運転容量検出部５８は、運転している室内機３の運転容量を検出し、運転容量合計値を算出する。
【００４４】
上記のマルチ型空気調和機１において、冷房運転は、以下のように行われる。
圧縮機１０で圧縮され、吐出された高温高圧の冷媒ガスは、四方切換弁１２により室外熱交換器１３側に循環され、室外熱交換器１３で室外ファン２４により送風される外気と熱交換されて凝縮液化される。この液冷媒は、過冷却コイル１４で更に冷却された後、室外膨張弁１５を通過し、レシーバ１６内にいったん貯留される。
【００４５】
レシーバ１６で循環量が調整された液冷媒は、過冷却熱交換器１７を経て液冷媒配管側を流通される過程で、液冷媒配管から一部分流され、過冷却用膨張弁１８で断熱膨張された冷媒と熱交換されて過冷却度が付与される。この液冷媒は、液側操作弁２１を経て室外機２から液側配管５へと導かれ、分岐器６を介して各室内機３Ａ、３Ｂ、３Ｃ及び３Ｄへと分流される。
【００４６】
分流された液冷媒は、各室内機３Ａ、３Ｂ、３Ｃ及び３Ｄに流入し、各室内膨張弁３１で断熱膨張され、気液二相流となって各室内熱交換器３０に流入される。各室内熱交換器３０では、各室内ファン３２により循環される室内空気と冷媒とが熱交換され、室内空気は冷却されて室内の冷房に供される。一方、冷媒はガス化され、分岐器６に至り、他の室内機からの冷媒ガスとガス側配管４で合流される。
【００４７】
ガス側配管４で合流された冷媒ガスは、再び室外機２に戻り、ガス側操作弁２０、四方切換弁１２を経て、過冷却熱交換器１７からの冷媒ガスと合流された後、アキュームレータ１９に導入される。アキュームレータ１９では、冷媒ガス中に含まれている液分が分離され、ガス分のみが圧縮機１０に吸入される。この冷媒は、圧縮機１０において再び圧縮され、以上のサイクルを繰り返すことによって冷房運転が行われる。
【００４８】
一方、暖房運転は、以下のように行われる。
圧縮機１０により圧縮され、吐出された高温高圧の冷媒ガスは、四方切換弁１２を介してガス側操作弁２０側に循環される。この高圧ガス冷媒は、ガス側操作弁２０、ガス側配管４を経て室外機２から導出され、分岐器６を経て複数台の室内機３Ａ、３Ｂ、３Ｃ及び３Ｄに導入される。
【００４９】
室内機３Ａ、３Ｂ、３Ｃ及び３Ｄに導入された高温高圧の冷媒ガスは、各室内熱交換器３０で各室内ファン３２を介して循環される室内空気と熱交換され、これにより加熱された室内空気は室内に吹出されて暖房に供される。一方、各室内熱交換器３０で凝縮液化された冷媒は、各室内膨張弁３１を経て分岐器６に至り、他の室内機からの冷媒と合流され、液側配管５を経て室外機２に戻る。なお、暖房時、室内機３Ａ、３Ｂ、３Ｃ及び３Ｄでは、凝縮器として機能する各室内熱交換器３０の冷媒出口温度又は冷媒過冷却度が制御目標値となるように、各室内膨張弁３１の開度が各室内コントローラ（図示せず）を介して制御される。
【００５０】
室外機２に戻った冷媒は、液側操作弁２１を経て過冷却熱交換器１７に至り液冷媒配管側を流通される過程で、液冷媒配管から一部分流され、過冷却用膨張弁１８で断熱膨張された冷媒と熱交換されて過冷却度が付与される。その後、レシーバ１６に流入され、いったん貯留されることにより循環量が調整される。この液冷媒は、室外膨張弁１５に供給されて断熱膨張された後、室外熱交換器１３に流入される。
【００５１】
室外熱交換器１３では、室外ファン２４から送風される外気と冷媒とが熱交換され、冷媒は外気から吸熱して蒸発ガス化される。この冷媒は、室外熱交換器１３から四方切換弁１２を経て、過冷却熱交換器１７からの冷媒ガスと合流された後、アキュームレータ１９に導入される。アキュームレータ１９では、冷媒ガス中に含まれている液分が分離されてガス分のみが圧縮機１０に吸入され、圧縮機１０において再び圧縮される。以上のサイクルを繰り返すことによって暖房運転が行われる。
【００５２】
また、上記した冷房運転および暖房運転の間、圧縮機吐出温度センサが検出した圧縮機１０から吐出される冷媒の吐出温度を圧縮機吐出温度検出部５３が取得し、その温度が設定値を超えたとき、液バイパス配管７０に設けられている一方のバイパス弁７１、例えばバイパス弁７１Ａを開として、高圧液冷媒の一部を液バイパス配管７０Ａおよび一方のキャピラリチューブ７２Ａを介して圧縮機１０の冷媒吸入配管にバイパスさせるようにしている。これによって、圧縮機１０および冷媒を冷却し、冷媒の吐出温度の異常上昇を抑制して徒に保護停止とならないようにしている。
【００５３】
マルチ型空気調和機１における冷房運転において、例えば室内機３が全台（室内機３Ａ、３Ｂ、３Ｃ及び３Ｄ）運転している状態から、室内機３Ａのみの運転に切り替わる場合がある。この場合、室内機３の運転容量は４３．５ｋｗから１．５ｋｗに減少する。これに伴い、圧縮機１０の回転数は、室内機３が全台運転している場合の回転数である最大回転数２００ｒｐｓから減少させる必要がある。制御装置５０においては、圧縮機回転数指令値設定部５１により、圧縮機回転数指令値を変更する必要がある。圧縮機１０の運転切替後の圧縮機回転数指令値、すなわち室内機３Ａのみの運転の場合の圧縮機回転数指令値は、以下の（１）式で表される。
【００５４】
（圧縮機１０の運転切替後の圧縮機回転数指令値）＝（圧縮機１０の運転切替前の圧縮機回転数指令値）×｛（運転切替後の運転容量）／（運転切替前の運転容量）｝  （１）
【００５５】
（１）式のように行う制御を、本実施形態ではフィードフォワード制御という。
（１）式より、室内機３Ａのみの運転の場合の回転数として約６．９ｒｐｓが算出されるが、圧縮機１０が運転可能な最小回転数は２０ｒｐｓであることから、圧縮機回転数指令値設定部５１は、室内機３Ａのみの運転の場合の圧縮機回転数指令値を２０ｒｐｓに設定する。
また、圧縮機１０の回転数の下降レートは一般的に用いられる圧縮機とほぼ同じレートが用いられるものとする。
【００５６】
図３は、本実施形態に係る冷房運転における運転切替時の制御を示したフローチャートである。
マルチ型空気調和機１における冷房運転において、各室内機３Ａ、３Ｂ、３Ｃ及び３Ｄの全台が運転している状態から、室内機３Ａのみの運転に切り替わるとすると、制御装置５０は、圧縮機１０の回転数の指令値である圧縮機回転数指令値を２００ｒｐｓから２０ｒｐｓへ下降レート１ｒｐｓ／ｓにて減少させる。
図３のステップＳ３０１に示されるように、制御装置５０の判定部５６は、所定期間内で室内機３の運転の切り替えが行われ、圧縮機１０の運転切替後の圧縮機回転数指令値に対する運転切替前の圧縮機回転数指令値の割合が所定倍数（例えば５倍）を超えるか否かを判定する。本実施形態の場合、運転切替後の圧縮機回転数指令値が２０ｒｐｓ、運転切替前の圧縮機回転数指令値が２００ｒｐｓであることから、５倍を超えると判定され、ステップＳ３０２へ遷移する。
ステップＳ３０１にて５倍を超えないと判定された場合は、後述するステップＳ３０４へ遷移する。
【００５７】
ステップＳ３０１にて圧縮機１０の運転切替後の圧縮機回転数指令値に対する運転切替前の圧縮機回転数指令値の割合が５倍を超えると判定されると、制御装置５０のバイパス弁開度設定部５７は、バイパス弁７１Ａ及びバイパス弁７１Ｂの２つの弁を開とする制御を行う（Ｓ３０２）。これにより、液バイパス配管７０Ａ及び７０Ｂを介して通常の２倍の量の冷媒がバイパスされる。
【００５８】
制御装置５０は、圧縮機実回転数取得部５２により取得された圧縮機１０の実回転数が、運転切替後の圧縮機回転数指令値２０ｒｐｓに到達したか否かを随時判定する（Ｓ３０３）。圧縮機１０の実回転数が、運転切替後の圧縮機回転数指令値２０ｒｐｓに到達したと判定されると、制御装置５０のバイパス弁開度設定部５７は、吐出温度に応じてバイパス弁７１Ａを開とし、バイパス弁７１Ｂを閉とする（Ｓ３０４）。これにより、液バイパス配管７０Ａを介して通常の量の冷媒がバイパスされる。
ステップＳ３０３にて、圧縮機１０の実回転数が運転切替後の圧縮機回転数指令値２０ｒｐｓに到達していないと判定された場合は、ステップＳ３０２へ遷移する。
【００５９】
また、液バイパス配管７０Ａ及び液バイパス配管７０Ｂの各流量はそれぞれ同量であるとしたが、キャピラリチューブ７２Ａ及びキャピラリチューブ７２Ｂの径を異ならせることにより液バイパス配管７０Ａ及び液バイパス配管７０Ｂの各流量を異ならせてもよい。
例えば、キャピラリチューブ７２Ｂの径をキャピラリチューブ７２Ａの径の２倍とすることにより、バイパス弁７１Ａを開とした場合の液バイパス配管７０の流量を１とすると、バイパス弁７１Ａ及び７１Ｂを閉とした場合は０、バイパス弁７１Ａのみを開とした場合は１、バイパス弁７１Ｂのみを開とした場合は２、バイパス弁７１Ａ及び７１Ｂを閉とした場合は３と、バイパスされる冷媒の量をきめ細かに調整することができる。
【００６０】
以上、説明してきたように、本実施形態に係るマルチ型空気調和機の制御装置、マルチ型空気調和機、マルチ型空気調和機の制御方法及びマルチ型空気調和機の制御プログラムによれば、以下の作用効果を奏する。
従来のマルチ型空気調和機１において、例えば室内機３全台運転から最小容量の室内機３の１台運転に運転が切り替わる場合、室外機２の圧縮機１０の回転数が最大回転数から最小回転数に切り替わっても特に問題が発生することはなかった。
しかし、圧縮機１０に従来よりも高速（例えば、２００ｒｐｓ）に回転する超高速圧縮機が採用されると、圧縮機１０の回転数の上限値、すなわち最大回転数が上がり、従来の上昇レートおよび下降レートを用いた制御を行うと、圧縮機１０の吐出温度が急上昇して保護停止する虞がある。これは、例えば冷房運転において圧縮機１０の回転数が最大回転数から最小回転数に切り替わる場合において、圧縮機１０の回転数の下降レートが停止する室内機３の室内膨張弁３１の開度制御に追従できず、冷媒循環量が多くなり、蒸発器となる室内熱交換器３０の性能が下がることで低圧側冷媒圧力が下がり、これに伴い吐出エンタルピが増加するため結果として圧縮機１０の吐出温度が急上昇するものである。
【００６１】
そこで、本実施形態においては、超高速圧縮機を用い、２本の液バイパス配管７０Ａ及び７０Ｂを備えたマルチ型空気調和機１において、所定期間内で室内機３の運転の切り替えが行われ、運転切替後の圧縮機１０の回転数の指令値である圧縮機回転数指令値に対する運転切替前の圧縮機回転数指令値の割合が所定倍数（例えば５倍）を超える場合、例えば圧縮機回転数指令値が運転切替前に比べて十分小さい値となった場合において、液バイパス配管７０上の２つのバイパス弁７１Ａ及び７１Ｂを開とし、５倍以下の場合または圧縮機１０の実回転数が運転切替後の圧縮機回転数指令値に到達すると一方のバイパス弁７１Ａを開とし他方のバイパス弁７１Ｂを閉とする、または２つのバイパス弁７１Ａ及び７１Ｂを共に閉とする制御を行う。
【００６２】
これにより、圧縮機１０の回転数下降中は２本の液バイパス配管７０Ａ及び７０Ｂにより高圧の液冷媒がバイパスされることで圧縮機１０が吸入する冷媒の圧力が上がり温度が低下する。よって低圧側（冷房運転時の場合、室内機３側）冷媒圧力の低下速度を遅らせ、これに伴い吐出エンタルピの増加を抑え吐出温度の急激な上昇を抑制することから、圧縮機吐出温度の急上昇による圧縮機１０の保護停止を回避するため、マルチ型空気調和機１の連続運転を行うことができる。
【００６３】
また、５倍以下の場合または圧縮機１０の実回転数が運転切替後の圧縮機回転数指令値に到達すると一方のバイパス弁７１Ａを開とする、または２つのバイパス弁７１Ａ及び７１Ｂを共に閉とする制御を行うことから、バイパス弁７１Ａ及び７１Ｂの制御により液バックの防止が調整可能である。
【００６４】
また、運転切替後の圧縮機回転数指令値に対する運転切替前の圧縮機回転数指令値の割合が所定倍数（例えば５倍）を超えるか否かを判定の条件としたが、これを運転切替後の室内機３の運転容量の合計である第１運転容量合計値に対する運転切替前の室内機３の運転容量の合計である第２運転容量合計値の割合が、５倍を超えるか否かを判定の条件に代えてもよい。
【００６５】
また本実施形態においては、２本の液バイパス配管７０Ａ及び７０Ｂのキャピラリチューブ７２Ａ及び７２Ｂがそれぞれ異なる径であることから、２つのバイパス弁７１Ａ及び７１Ｂを開とする場合、一方のバイパス弁７１Ａのみを開とする場合、他方のバイパス弁７１Ｂのみを開とする場合、及び２つのバイパス弁７１Ａ及び７１Ｂを閉とする場合の４つのそれぞれの場合において、バイパスされる冷媒の量を異ならせることができる。これにより、冷媒の吐出温度に応じてバイパスされる冷媒の量をきめ細かに調整することができるとともに、液バックを効果的に防止することができる。
【００６６】
〔第２実施形態〕
以下、本発明の第２実施形態について、図４を用いて説明する。
上記した第１実施形態では、液バイパス配管を並列に２本設け、各バイパス弁を制御するとしたが、本実施形態では、液バイパス配管は１本とし、キャピラリチューブの径を拡大するものである。その他の点については第１実施形態と同様であるので、同様の構成については同一符号を付しその説明は省略する。
【００６７】
図４は、本実施形態に係るマルチ型空気調和機を示した概略構成図である。
室外機２には、室外膨張弁１５とレシーバ１６との間の高圧液配管と、圧縮機１０への冷媒吸入配管との間に、高圧液冷媒を圧縮機１０の吸入側へとバイパスする液バイパス配管７０が設けられている。この液バイパス配管７０には、圧縮機１０から吐出される冷媒の吐出温度に応じて開閉されるバイパス弁７１と、高圧液冷媒を減圧するキャピラリチューブ（減圧手段）７２とが設けられている。
液バイパス配管７０の流量はキャピラリチューブ７２の径に基づき決定されるが、本実施形態では、キャピラリチューブ７２の径が、通常１本設けられる液バイパス配管７０を２本並列に設けた場合の冷媒流量と同じ流量となるような径であるとする。これにより、バイパス弁７１を開とすることで液バイパス配管７０が１本の場合の２倍の量の冷媒がバイパスされることとなる。
【００６８】
また、圧縮機吐出温度センサが検出した圧縮機１０から吐出される冷媒の吐出温度を圧縮機吐出温度検出部５３が取得し、その温度が設定値を超えたとき、液バイパス配管７０に設けられているバイパス弁７１を開として、高圧液冷媒の一部を液バイパス配管７０およびキャピラリチューブ７２を介して圧縮機１０の冷媒吸入配管にバイパスさせるようにしている。これによって、圧縮機１０および冷媒を冷却し、冷媒の吐出温度の異常上昇を抑制して徒に保護停止とならないようにしている。
【００６９】
図５は、本実施形態に係る運転切替時の制御を示したフローチャートである。
マルチ型空気調和機１において、各室内機３Ａ、３Ｂ、３Ｃ及び３Ｄの全台が運転している状態から、室内機３Ａのみの運転に切り替わるとすると、制御装置５０は、圧縮機１０の回転数の指令値である圧縮機回転数指令値を２００ｒｐｓから２０ｒｐｓへ下降レート１ｒｐｓ／ｓにて減少させる。
図５のステップＳ５０１に示されるように、制御装置５０の判定部５６は、所定期間内で室内機３の運転の切り替えが行われ、圧縮機１０の運転切替後の圧縮機回転数指令値に対する運転切替前の圧縮機回転数指令値の割合が所定倍数（例えば５倍）を超えるか否かを判定する。本実施形態の場合、運転切替後の圧縮機回転数指令値が２０ｒｐｓ、運転切替前の圧縮機回転数指令値が２００ｒｐｓであることから、５倍を超えると判定され、ステップＳ５０２へ遷移する。
ステップＳ５０１にて５倍を超えないと判定された場合は、後述するステップＳ５０４へ遷移する。
【００７０】
ステップＳ５０１にて圧縮機１０の運転切替後の圧縮機回転数指令値に対する運転切替前の圧縮機回転数指令値の割合が５倍を超えると判定されると、制御装置５０のバイパス弁開度設定部５７は、バイパス弁７１を開とする制御を行う（Ｓ５０２）。これにより、液バイパス配管７０を介して通常の２倍の量の冷媒がバイパスされる。
【００７１】
制御装置５０は、圧縮機実回転数取得部５２により取得された圧縮機１０の実回転数が、運転切替後の圧縮機回転数指令値２０ｒｐｓに到達したか否かを随時判定する（Ｓ５０３）。圧縮機１０の実回転数が、運転切替後の圧縮機回転数指令値２０ｒｐｓに到達したと判定されると、制御装置５０のバイパス弁開度設定部５７は、バイパス弁７１を閉とする（Ｓ５０４）。
ステップＳ５０３にて、圧縮機１０の実回転数が運転切替後の圧縮機回転数指令値２０ｒｐｓに到達していないと判定された場合は、ステップＳ５０２へ遷移する。
【００７２】
以上、説明してきたように、本実施形態に係るマルチ型空気調和機の制御装置、マルチ型空気調和機、マルチ型空気調和機の制御方法及びマルチ型空気調和機の制御プログラムによれば、以下の作用効果を奏する。
本態様においては、液バイパス配管７０を２本設けた場合の冷媒流量と同じ流量となるような径のキャピラリチューブ７２を採用したことから、バイパス弁７１の開閉を制御することにより、圧縮機１０の吸入配管へより多くの高圧液冷媒をバイパスすることができ圧縮機１０が吸入する冷媒の圧力が上がり温度が低下する。よって低圧側（冷房運転時の場合、室内機３側）冷媒圧力の低下速度を遅らせ、これに伴い吐出エンタルピの増加を抑え吐出温度の急激な上昇を抑制することから、圧縮機吐出温度の急上昇による圧縮機１０の保護停止を回避するため、マルチ型空気調和機１の連続運転を行うことができる。
【００７３】
また、運転切替後の圧縮機回転数指令値に対する運転切替前の圧縮機回転数指令値の割合が所定倍数（例えば５倍）を超えるか否かを判定の条件としたが、これを運転切替後の室内機３の運転容量の合計である第１運転容量合計値に対する運転切替前の室内機３の運転容量の合計である第２運転容量合計値の割合が、５倍を超えるか否かを判定の条件に代えてもよい。
【００７４】
〔第３実施形態〕
以下、本発明の第３実施形態について、図６を用いて説明する。
上記した第２実施形態では、液バイパス配管は１本とし、キャピラリチューブの径を拡大するとしたが、本実施形態では、液バイパス配管は１本としたうえで、バイパス弁を開度調整可能な弁とするものである。その他の点については第２実施形態と同様であるので、同様の構成については同一符号を付しその説明は省略する。
【００７５】
図６は、本実施形態に係るマルチ型空気調和機を示した概略構成図である。
室外機２には、室外膨張弁１５とレシーバ１６との間の高圧液配管と、圧縮機１０への冷媒吸入配管との間に、高圧液冷媒を圧縮機１０の吸入側へとバイパスする液バイパス配管７０が設けられている。この液バイパス配管７０には、圧縮機１０から吐出される冷媒の吐出温度に応じて開度が制御される開度調整可能な弁（例えば電動膨張弁）であるバイパス弁７６が設けられている。
本実施形態では、バイパス弁７６の全開時の流量が、通常１本設けられる液バイパス配管７０を２本並列に設けた場合の冷媒流量と同じ流量となるようにバイパス弁７６を選定する。これにより、バイパス弁７６を全開とすることで液バイパス配管７０が１本の場合の２倍の量の冷媒がバイパスされることとなる。
【００７６】
また、圧縮機吐出温度センサが検出した圧縮機１０から吐出される冷媒の吐出温度を圧縮機吐出温度検出部５３が取得し、その温度が設定値を超えたとき、液バイパス配管７０に設けられているバイパス弁７６の開度を制御して、高圧液冷媒の一部を液バイパス配管７０を介して圧縮機１０の冷媒吸入配管にバイパスさせるようにしている。これによって、圧縮機１０および冷媒を冷却し、冷媒の吐出温度の異常上昇を抑制して徒に保護停止とならないようにしている。
【００７７】
図７は、本実施形態に係る運転切替時の制御を示したフローチャートである。
マルチ型空気調和機１において、各室内機３Ａ、３Ｂ、３Ｃ及び３Ｄの全台が運転している状態から、室内機３Ａのみの運転に切り替わるとすると、制御装置５０は、圧縮機１０の回転数の指令値である圧縮機回転数指令値を２００ｒｐｓから２０ｒｐｓへ下降レート１ｒｐｓ／ｓにて減少させる。
図７のステップＳ７０１に示されるように、制御装置５０の判定部５６は、所定期間内で室内機３の運転の切り替えが行われ、圧縮機１０の運転切替後の圧縮機回転数指令値に対する運転切替前の圧縮機回転数指令値の割合が所定倍数（例えば５倍）を超えるか否かを判定する。本実施形態の場合、運転切替後の圧縮機回転数指令値が２０ｒｐｓ、運転切替前の圧縮機回転数指令値が２００ｒｐｓであることから、５倍を超えると判定され、ステップＳ７０２へ遷移する。
ステップＳ７０１にて５倍を超えないと判定された場合は、後述するステップＳ７０４へ遷移する。
【００７８】
ステップＳ７０１にて圧縮機１０の運転切替後の圧縮機回転数指令値に対する運転切替前の圧縮機回転数指令値の割合が５倍を超えると判定されると、制御装置５０のバイパス弁開度設定部５７は、バイパス弁７６を全開とする制御を行う（Ｓ７０２）。これにより、液バイパス配管７０を介して通常の２倍の量の冷媒がバイパスされる。
【００７９】
制御装置５０は、圧縮機実回転数取得部５２により取得された圧縮機１０の実回転数が、運転切替後の圧縮機回転数指令値２０ｒｐｓに到達したか否かを随時判定する（Ｓ７０３）。圧縮機１０の実回転数が、運転切替後の圧縮機回転数指令値２０ｒｐｓに到達したと判定されると、制御装置５０のバイパス弁開度設定部５７は、吐出温度に応じてバイパス弁７６を閉方向に制御する（Ｓ７０４）。
ステップＳ７０３にて、圧縮機１０の実回転数が運転切替後の圧縮機回転数指令値２０ｒｐｓに到達していないと判定された場合は、ステップＳ７０２へ遷移する。
【００８０】
〔第３実施形態の変形例〕
マルチ型空気調和機１に対し、第２実施形態と第３実施形態とを組み合わせて実施するとしてもよい。
図８は、本変形例に係るマルチ型空気調和機を示した概略構成図である。
この場合、図８に示されるように、室外機２には、室外膨張弁１５とレシーバ１６との間の高圧液配管と、圧縮機１０への冷媒吸入配管との間に、高圧液冷媒を圧縮機１０の吸入側へとバイパスする液バイパス配管７０が設けられている。この液バイパス配管７０には、圧縮機１０から吐出される冷媒の吐出温度に応じて開度が制御される開度調整可能な弁（例えば電動膨張弁）であるバイパス弁７６とキャピラリチューブ７２が設けられている。
本変形例では、バイパス弁７６の全開時の流量が、通常１本設けられる液バイパス配管７０を２本並列に設けた場合の冷媒流量と同じ流量となるようにバイパス弁７６を選定するとともに、キャピラリチューブ７２の径が、通常１本設けられる液バイパス配管７０を２本並列に設けた場合の冷媒流量と同じ流量となるような径であるとする。これにより、バイパス弁７６を全開とすることで液バイパス配管７０が１本の場合の２倍の量の冷媒がバイパスされることとなる。
【００８１】
以上、説明してきたように、本実施形態に係るマルチ型空気調和機の制御装置、マルチ型空気調和機、マルチ型空気調和機の制御方法及びマルチ型空気調和機の制御プログラムによれば、以下の作用効果を奏する。
本実施形態においては、液バイパス配管７０に設けられたバイパス弁７６に膨張弁などの開度調整可能な弁を採用したことから、バイパス弁７６の開度を制御することにより、冷媒のバイパス量を制御することができる。
マルチ型空気調和機１において、所定期間内で室内機３の運転の切り替えが行われ、運転切替後の圧縮機１０の回転数の指令値である圧縮機回転数指令値に対する運転切替前の圧縮機回転数指令値の割合が所定倍数（例えば５倍）を超える場合、例えば圧縮機回転数指令値が運転切替前に比べて十分小さい値となった場合において、バイパス弁７６の開度を全開とするため、圧縮機１０の吸入配管へより多くの高圧液冷媒をバイパスすることができ圧縮機１０が吸入する冷媒の圧力が上がり温度が低下する。よって低圧側（冷房運転時の場合、室内機３側）冷媒圧力の低下速度を遅らせ、これに伴い吐出エンタルピの増加を抑え吐出温度の急激な上昇を抑制することから、圧縮機吐出温度の急上昇による圧縮機１０の保護停止を回避するため、マルチ型空気調和機１の連続運転を行うことができる。
【００８２】
また、５倍以下の場合または圧縮機１０の実回転数が運転切替後の圧縮機回転数指令値に到達するとバイパス弁７６を閉方向に制御するため、液バックの防止が自在に調整可能である。
【００８３】
また本実施形態の場合、膨張弁などの開度調整可能な弁であるバイパス弁７６は、全開時の流量が液バイパス配管７０を２本設けた場合の冷媒流量と同じ流量となるような弁を選定するものとする。
【００８４】
また、運転切替後の圧縮機回転数指令値に対する運転切替前の圧縮機回転数指令値の割合が所定倍数（例えば５倍）を超えるか否かを判定の条件としたが、これを運転切替後の室内機３の運転容量の合計である第１運転容量合計値に対する運転切替前の室内機３の運転容量の合計である第２運転容量合計値の割合が、５倍を超えるか否かを判定の条件に代えてもよい。
【００８５】
また本実施形態の変形例においては、液バイパス配管７０を２本設けた場合の冷媒流量と同じ流量となるような径のキャピラリチューブ７２を採用し、バイパス弁７６に膨張弁などの開度調整可能な弁を採用したため、バイパス弁７６の開度を制御することにより、冷媒のバイパス量を制御することができる。
マルチ型空気調和機１において、所定期間内で室内機３の運転の切り替えが行われ、運転切替後の圧縮機１０の回転数の指令値である圧縮機回転数指令値に対する運転切替前の圧縮機回転数指令値の割合が５倍を超える場合、例えば圧縮機回転数指令値が運転切替前に比べて十分小さい値となった場合において、バイパス弁７６の開度を全開とするため、圧縮機１０の吸入配管へより多くの高圧液冷媒をバイパスすることができ圧縮機１０が吸入する冷媒の圧力が上がり温度が低下する。よって低圧側（冷房運転時の場合、室内機３側）冷媒圧力の低下速度を遅らせ、これに伴い吐出エンタルピの増加を抑え吐出温度の急激な上昇を抑制することから、圧縮機吐出温度の急上昇による圧縮機１０の保護停止を回避するため、マルチ型空気調和機１の連続運転を行うことができる。
【００８６】
また、５倍以下の場合または圧縮機１０の実回転数が運転切替後の圧縮機回転数指令値に到達するとバイパス弁７６を閉方向に制御するため、液バックの防止が自在に調整可能である。
【００８７】
以上、本発明の各実施形態について図面を参照して詳述してきたが、具体的な構成はこの実施形態に限られるものではなく、本発明の要旨を逸脱しない範囲の設計変更なども含まれる。
【００８８】
たとえば、各実施形態では例えば所定期間内で室内機３が全台（室内機３Ａ、３Ｂ、３Ｃ及び３Ｄ）運転している状態から、室内機３Ａのみの運転に切り替わる場合について述べたが、所定期間内の切り替えであればその形態は問わない。例えば室内機３が全台運転している状態から、１乃至数台ずつ順に停止され、所定期間内に１台のみの運転に切り替わる場合等も含まれる。
【００８９】
また、各実施形態では全台運転から１台のみの運転に切り替わる場合を例に挙げて説明したが、運転切替後の圧縮機回転数指令値に対する運転切替前の圧縮機回転数指令値の割合が所定倍数（例えば５倍）を超える条件を満たす運転の切り替えであれば、運転切替前及び運転切替後の室内機３の台数は問わない。
【００９０】
また、各実施形態では、運転切替後の圧縮機回転数指令値に対する運転切替前の圧縮機回転数指令値の割合が所定倍数（例えば５倍）を超えるか否かを判定の条件としたが、これを運転切替後の室内機３の運転容量の合計である第１運転容量合計値に対する運転切替前の室内機３の運転容量の合計である第２運転容量合計値の割合が、所定倍数を超えるか否かを判定の条件に代えてもよい。
【００９１】
また、上記実施形態では、運転切替において圧縮機回転数指令値または室内機の運転容量を用いて判定を行うとしたが、室内機の運転容量に代えてそれに相当する値を用いるとしてもよい。室内機の運転容量に相当する値としては、例えば室内機が要求する周波数の合計値である室内機要求周波数合計などが挙げられる。
【符号の説明】
【００９２】
１  マルチ型空気調和機
２  室外機
３  室内機
１０  圧縮機
５０  制御装置
７０  液バイパス配管
７１  バイパス弁
７２  キャピラリチューブ（減圧手段）
【図１】
2018204898.tif 000003
【図２】
2018204898.tif 000004
【図３】
2018204898.tif 000005
【図４】
2018204898.tif 000006
【図５】
2018204898.tif 000007
【図６】
2018204898.tif 000008
【図７】
2018204898.tif 000009
【図８】
2018204898.tif 000010